(57)【要約】【課題】チラシ、パンフレット等を輸送、保管するに好適で、且つ店頭でそのチラシ、パンフレット等を適度に露出させ見栄えよく陳列できる梱包陳列兼用箱を提供することである。【解決手段】背面部１０、右側面部２０、正面部３０、左側面部４０、上面部５０および底面部６０の６面からなる梱包陳列兼用箱であって、前記背面部１０には、その一部を切り起してなる支持脚体８０を備えており、前記両側面部２０、４０の底辺は、前記背面部１０側へ上り傾斜しており、前記正面部３０および前記両側面部２０、４０には、切り目線３２、２３、４３が形成されるとともに、該切り目線３２、２３、４３を切り取ることで、前記上面部５０の全てと、前記正面部３０および前記両側面部２０、４０の上方部位とが開口可能となっている。【選択図】  図１
2008265791.tif 000002
【特許請求の範囲】
【請求項１】
背面部、右側面部、正面部、左側面部、上面部および底面部の６面からなる梱包陳列兼用箱であって、
前記背面部には、その一部を切り起してなる支持脚体を備えており、
前記両側面部の底辺は、前記背面部側へ上り傾斜しており、
前記正面部および前記両側面部には、切り目線が形成されるとともに、該切り目線を切り取ることで、前記上面部の全てと、前記正面部および前記両側面部の上方部位とが開口可能な梱包陳列兼用箱。
【請求項２】
請求項１に記載の梱包陳列兼用箱であって、
前記６面は、１枚の紙から形成される梱包陳列兼用箱。
【請求項３】
請求項２に記載の梱包陳列兼用箱であって、
前記背面部と連接しない方の側面部には、該背面部の裏面と接合させる糊代片が連接されており、
前記背面部の支持脚体を切り起こし時には、前記糊代片の表面を表示面として機能させる梱包陳列兼用箱。
【発明の詳細な説明】
【技術分野】
【０００１】
本発明は、複数枚のチラシ、パンフレット等の梱包および陳列するための梱包陳列兼用箱に関し、詳しくは、複数枚のチラシ、パンフレット等を輸送、保管するに好適な梱包状態から、店頭でそのチラシ、パンフレット等を適度に露出させ見栄えよく陳列するに好適な陳列状態へと変形可能な梱包陳列兼用箱に関する。
【背景技術】
【０００２】
従来より、小売店で複数枚のチラシ、パンフレット等（以下、「チラシ類」と記す）を陳列させる方法として、例えば以下に記す方法が知られている。その方法とは、チラシ類を印刷工場で大量に印刷し、その印刷したチラシ類を所定の数量ごとにダンボールに収納して小売店へ配送する。そして、小売店では、従業員が配送されたダンボールを開封し、その中からチラシ類を取り出して、取り出したチラシ類を店頭に用意してある陳列棚へと並べる作業を実施している。
【０００３】
なお、この出願の発明に関連する先行技術文献情報としては、例えば、特許文献１が知られている。
【特許文献１】特開平９−３７９０２号公報
【発明の開示】
【発明が解決しようとする課題】
【０００４】
しかしながら、上述した陳列方法では、チラシ類を陳列棚に陳列するため、予め店頭に陳列棚を準備しておく用意が必要となり、さらに開封したダンボールからチラシ類を取り出し、取り出したチラシ類を陳列棚へと並べる作業が必要となっていた。
【０００５】
本発明は、このような課題を解決しようとするもので、その目的は、チラシ、パンフレット等を輸送、保管するに好適で、且つ店頭でそのチラシ、パンフレット等を適度に露出させ見栄えよく陳列できる梱包陳列兼用箱を提供することを課題とする。
【課題を解決するための手段】
【０００６】
本発明は、上記の目的を達成するためのものであって、以下のように構成されている。
請求項１に記載の発明は、背面部、右側面部、正面部、左側面部、上面部および底面部の６面からなる梱包陳列兼用箱であって、前記背面部には、その一部を切り起してなる支持脚体を備えている。また、前記両側面部の底辺は、前記背面部側へ上り傾斜している。また、前記正面部および前記両側面部には、切り目線が形成されるとともに、該切り目線を切り取ることで、前記上面部の全てと、前記正面部および前記両側面部の上方部位とが開口可能な構成となっている。
この構成によれば、梱包陳列兼用箱は６面からなり、その内部にチラシ類を収納して輸送、保管するための梱包箱として使用できる。さらに、予め形成の切り目線を切り取ることで、梱包箱から陳列箱にすることができる。また、両側面部の底辺は、背面部側へ上り傾斜していることと、背面部には、その一部を切り起してなる支持脚体を備えていることとによって、この梱包箱は、後傾支持された状態で自立可能となる。そのため、梱包箱の内部のチラシ類を取り出すことなく、梱包箱から陳列箱にすることができる。
【０００７】
請求項２に記載の発明は、請求項１に記載の梱包陳列兼用箱であって、前記６面は、１枚の紙から形成される構成である。
この構成によれば、１枚の紙から、梱包陳列兼用箱を作ることができるため、容易に製作可能となる。
【０００８】
請求項３に記載の発明は、請求項２に記載の梱包陳列兼用箱であって、前記背面部と連接しない方の側面部には、該背面部の裏面と接合させる糊代片が連接されている。また、前記背面部の支持脚体を切り起こし時には、前記糊代片の表面を表示面として機能させる構成である。
この構成によれば、背面部側に表示面を形成することができる。そのため、客に対してではなく店舗の従業員向けの表示をさせることができる。
【発明を実施するための最良の形態】
【０００９】
以下、本発明を実施するための最良の形態を、図１〜８を用いて説明する。
図１は、本発明の梱包陳列兼用箱を組み立てるための原紙１の展開図である。図２は、本発明の梱包陳列兼用箱を梱包状態への組み立て過程を表す斜視図である。図３は、図２のさらなる組み立て過程を表す斜視図である。図４は、図３のさらなる組み立て過程を表す斜視図である。図５は、本発明の梱包陳列兼用箱を梱包状態から陳列状態への組み立て過程を表す斜視図である。図６は、図５のさらなる組み立て過程を表す斜視図である。
図７は、図６の右側面図である。図８は、本発明の梱包陳列兼用箱の陳列状態を表す斜視図である。
【００１０】
図１に示すように、背面部１０、左側面部２０、正面部３０、右側面部４０および糊代片７０が、それぞれ縦長に形成され、折り曲げ線９１ａ、９１ｂ、９１ｃ、９１ｄを介して順次連接して成っている。また、背面部１０、左側面部２０、正面部３０、右側面部４０の各下端部には、それぞれ折り曲げ線９２ａ、９２ｂ、９２ｃ、９２ｄを介して底蓋片１１、２１、３１、４１が連接されている。これら各底蓋片１１、２１、３１、４１は互いに先端部が引っ掛かり合うことによって連結され、チラシ類を収納しても底が抜け落ちないようになっている。なお、これら各底蓋片１１、２１、３１、４１が互いに先端部が引っ掛かり合い連結されることにより、特許請求の範囲に記載の「底面部」が形成される。
【００１１】
正面部３０の上端部には、上面部５０と折り込み片５１とが折り曲げ線９３ａ、９３ｂを介して順次連接して成っている。また、両側面部２０、４０の各上端部には、それぞれ折り曲げ線９４ａ、９４ｂを介して折り込み片２２、４２が連接されている。なお、この図１からも明らかなように、背面部１０、正面部３０、上面部５０および糊代片７０は長方形であり、左側面部２０は左上がりとなる平行四辺形、また右側面部４０は右上がりとなる平行四辺形となっている。なお、このように両側面部２０、４０がそれぞれ背面部１０方向に上がる平行四辺形となることにより、特許請求の範囲に記載の「両側面部２０、４０の底辺は、前記背面部１０側へ上り傾斜」する構成となっている。
【００１２】
背面部１０には、略コ字形状に一対の切り目線１２ａが形成され、それら両切り目線１２ａを切り取ることで切り起こし可能な一対の切り起こし片１２が水平方向に対向するように設けられている。また、両切り起こし片１２の上方には、略コ字形状に切り目線１３ａが形成され、その切り目線１３ａを切り取ることで下方に向けて切り起こし可能な支持脚片１３が設けられている。また、この支持脚片１３には、一対の切り目線１３ｃが形成され、それら両切り目線１３ｃを切り取ることで縦長に開口可能な一対の係止孔１３ｂが設けられている。そして、支持脚片１３および両切り起こし片１２を切り起こすと、両切り起こし片１２の両先端部は支持脚片１３の両係止孔１３ｂに挿入係止可能となっている。なお、これら両切り起こし片１２および支持脚片１３が、特許請求の範囲に記載の「支持脚体８０」に該当する。
【００１３】
正面部３０の高さ方向の略中央位置には、水平方向に一様に切り目線３２が形成されている。また、この切り目線３２の両端から両折り曲げ線９４ａ、９４ｂの外方両端部（すなわち、両折り曲げ線９４ａ、９４ｂにおける背面側１０の端部と糊代片７０側の端部）へ向けて、両切り目線２３、４３が形成されている。なお、これら各切り目線１２ａ、１３ａ、１３ｃ、２３、３２、４３はミシン目となっており、手で容易に切り取り可能となっている。
【００１４】
次に、上述したように構成された原紙１を梱包箱へと組み立てていく第１工程と、その梱包箱から陳列箱へと組み立てていく第２工程をそれぞれ説明する。
第１工程について説明する。
まず、糊代片７０に糊７１を塗布する。そして、原紙１を折り曲げ線９１ａ、９１ｂ、９１ｃ、９１ｄのところで４角筒状に折り曲げるとともに、糊代片７０の表面を糊７１によって背面部１０の裏面に糊付けして接合させる。これによって、まず原紙１は、図２に示すように４角筒状に組み立てられる。
【００１５】
なお、図１からも明らかなように、糊代片７０において、背面部１０の両切り起こし片１２および支持脚片１３が切り起こされることで開口される部位には、糊７１を塗布しない。なぜなら、この開口部位は切り起されるため糊７１が不要であることは言うまでもない。また、背面部１０の支持脚片１３を切り起すと糊代片７０の表面が現れるため、その部分が表示面７２としての機能を有することになる。もちろん、この表示面７２はチラシ類を陳列するにあたっては背面部１０側への表示となるため、客に対してではなく店舗の従業員向けの表示となる。そのため、図示するように、「パンフレットのご請求は（株）ニシトモ  ＴＥＬ０５０−１００３−××××」などの表示をしておくことで、パンフレットが切れた際には直ぐに補充の連絡ができることになる。
【００１６】
そして、４角筒状に組み立てられた後に、各底蓋片１１、２１、３１、４１をそれぞれ折り曲げ線９２ａ、９２ｂ、９２ｃ、９２ｄによって折り曲げて底面部６０を組み立てて、底部開口を閉塞させる（図３参照）。これによって４各筒状から上部開口の箱となり、その内部にチラシ類を収納させる。その後、両側面部２０、４０に対して両折り曲げ線９４ａ、９４ｂのところで両折り込み片２２、４２をそれぞれ内方へ折り曲げ、さらに折り曲げ線９３ａのところで上面部５０を内方へ折り曲げるとともに折り曲げ線９３ｂのところで折り込み片５１を内方へ折り曲げる（図４参照）。そして、折り込み片５１を正面部３０の背面と両側の折り込み片２２、４２の側端との間に挿入させて上部開口を閉塞させる。このようにして、原紙１から内部にチラシ類を収納した梱包箱となり、輸送、保管などの物流に供されることになる。なお、この梱包箱の状態では、両側面部２０、４０が既に説明したように平行四辺形であるため、自立することはできない。
【００１７】
続いて、第２工程について説明する。
図５に示すように背面部１０の両切り起こし片１２を切り起こす。そして、この切り起こし状態で、支持脚片１３の両係止孔１３ｂを開口させ、さらに支持脚片１３を切り起すとともに、両切り起こし片１２の両端部を切り起した支持脚片１３の両係止孔１３ｂへと挿入係止させる（図６参照）。これによって、図７に示すように、この梱包箱は、後傾支持された状態で自立可能となる。
【００１８】
そして、既に説明した上部開口の閉塞を解除するとともに、切り目線２３、３２、４３を切り離す。すると、上面部５０の全てと、正面部３０および両側面部２０、４０の上方部位とが開口されることになる（図８参照）。この開口によって、梱包箱内部のチラシ類は適度に露出され、見栄えよく陳列された状態となる。そして、この状態でそのまま店頭のテーブルまたはカウンタなどに置くことができる。
【００１９】
このようにして、チラシ類が収納された梱包箱から陳列箱へと変形させ簡便にチラシ類を陳列させることができる。そのため、店頭に陳列棚を必要としない。また、チラシ類を陳列棚へ並べる作業を必要としない。また、この陳列箱は、既に説明したように後傾支持されているため、チラシ類を手前に引き寄せた場合でも、陳列箱が前方に倒れてくる恐れも少なく安定感のある陳列箱となっている。
【００２０】
上述した内容は、あくまでも本発明の一実施の形態に関するものであって、本発明が上記内容に限定されることを意味するものではない。
実施例では、両側面部２０、４０がそれぞれ背面部１０方向に上がる平行四辺形となる構成を例に説明した。しかし、これに限定されるものでなく、両側面部２０、４０の底辺のみがそれぞれ背面部１０方向に上がるように傾斜していればよい。その場合、上面部５０は、背面部１０、両側面部２０、４０、正面部３０に対して垂直となる。
【図面の簡単な説明】
【００２１】
【図１】図１は、本発明の梱包陳列兼用箱を組み立てるための原紙１の展開図である。
【図２】図２は、本発明の梱包陳列兼用箱を梱包状態への組み立て過程を表す斜視図である。
【図３】図３は、図２のさらなる組み立て過程を表す斜視図である。
【図４】図４は、図３のさらなる組み立て過程を表す斜視図である。
【図５】図５は、本発明の梱包陳列兼用箱を梱包状態から陳列状態への組み立て過程を表す斜視図である。
【図６】図６は、図５のさらなる組み立て過程を表す斜視図である。
【図７】図７は、図６の右側面図である。
【図８】図８は、本発明の梱包陳列兼用箱の陳列状態を表す斜視図である。
【符号の説明】
【００２２】
１０    背面部
２０    左側面部
２３    切り目線
３０    正面部
３２    切り目線
４０    右側面部
４３    切り目線
５０    上面部
６０    底面部
７０    糊代片
７２    表示面
８０    支持脚体
【図１】
2008265791.tif 000003
【図２】
2008265791.tif 000004
【図３】
2008265791.tif 000005
【図４】
2008265791.tif 000006
【図５】
2008265791.tif 000007
【図６】
2008265791.tif 000008
【図７】
2008265791.tif 000009
【図８】
2008265791.tif 000010